(57)【要約】【課題】照明領域の重なり合う部分が所望に照明制御され、かつ省スペース化および低コスト化を図ることのできる照明制御システムを提供する。【解決手段】照明制御システム１は、複数の照明領域毎に設けられた照明装置２と、各照明領域内での人体の存否を検出する人感センサ１４を有する人感センサ親機３と、２つの照明領域Ａ，Ｂの重なり合う部分６の人体の存否を検出する人感センサ２２を有し、自身の人感センサ２２が人体の存在を検出したときに入力される動作電圧を変化させるように構成されている人感センサ子機４と、動作電圧の変化を検出したときに、２つの照明領域Ａ，Ｂのそれぞれの照明装置２を所定の点灯状態に制御するように構成された照明制御装置５とを具備している。【選択図】図１
2007035293.tif 000002
【特許請求の範囲】
【請求項１】
複数の照明領域毎に設けられた照明装置と；
照明領域毎に設けられ、各照明領域内での人体の存否を検出する人感センサを有する人感センサ親機と；
２つの照明領域の重なり合う部分の人体の存否を検出する人感センサを有し、前記重なり合う部分の２つの照明領域に設けられた各人感センサ親機から動作電圧が入力されているとともに、自身の人感センサが人体の存在を検出したときに前記動作電圧を変化させるように構成されている人感センサ子機と；
前記動作電圧の変化を検出する電圧検出部を有して各人感センサ親機にそれぞれ設けられ、前記電圧検出部が前記動作電圧の変化を検出したときに、または人感センサ親機の人感センサが人体の存在を検出したときに、各人感センサ親機に対応する照明装置を所定の点灯状態に制御するように構成された照明制御装置と；
を具備していることを特徴とする照明制御システム。
【請求項２】
人感センサ子機は、２つの人感センサ親機から入力されている動作電圧のうちの１つの動作電圧に基づいて動作しているとともに、自身の人感センサが人体の存在を検出したときに２つの人感センサ親機から入力されている動作電圧をそれぞれ変化させるように構成されていることを特徴とする請求項１記載の照明制御システム。
【発明の詳細な説明】
【技術分野】
【０００１】
本発明は、人感センサを有する照明制御システムに関する。
【背景技術】
【０００２】
従来、複数の照明領域毎に人感センサを設置して、この人感センサが人体を検知したときに照明領域内に設置された照明装置の点灯状態を制御することが行われている。例えば、人感センサが人体を検知したときに、照明装置を全光点灯させ、人感センサが人体を検知しないときに、照明装置を消灯または調光点灯させている。
【０００３】
しかし、隣接する照明領域の配光は、互いに重なり合っている場合が多く、照明領域の境界付近において隣接する照明領域の照明装置が消灯または調光点灯されると、前記重なり合っている部分の照度（明るさ）が不足するという問題がある。
【０００４】
上記問題を解決するものとして、自己の照明領域の人感センサの検知情報および隣接する照明領域の人感センサの検知情報に基づいて自己の照明領域の照明装置を制御する照明制御システムが提案されている（特許文献１参照。）。この照明制御システムは、例えば、自己の照明領域の人感センサで人感検知しているときには、隣接する照明領域に関係なく、自己の照明装置を全光点灯させ、自己の照明領域の人感センサで人感検知せず隣接する照明領域の人感センサで人感検知しているときには、調光点灯させ、自己の照明領域の人感センサで人感検知しないとともに隣接する照明領域の人感センサで人感検知しないときは、消灯させるものである。
【０００５】
また、上記問題を解決するものとして、複数の器具本体に対応して設けられた人体の有無を検出する人体検出手段（人感センサ）、器具本体に対応する人体検出手段から入力される第１の信号入力部および他の器具本体に対応する人体検出手段から入力される第２の信号入力部を有し、第１および第２の信号入力部の入力にしたがい異なる状態に照明を制御する照明装置が提案されている（特許文献２参照。）。すなわち、第１の信号入力部に人体検出手段からの信号が入力されると蛍光ランプを全光点灯させ、第２の信号入力部に信号が入力されると蛍光ランプを調光点灯させ、第１および第２の信号入力部のいずれにも信号が入力されないと蛍光ランプを減光あるいは消灯状態とするものである。
【０００６】
そして、熱線感知式自動スイッチ（人感センサ）の親器と子器とを２線式の信号線により接続し、親器および子器に設けた熱線センサにより人体等から発生する熱線を検知することによって、照明負荷の点灯、消灯を制御する照明システムが開示されている（特許文献３参照。）。子器は、複数個が用いられるので、配光が重なり合う部分に、両方の照明領域に対応してそれぞれ子器を設けることにより、隣接する照明領域の照明装置が消灯または調光点灯されるという問題を解消することができる。
【特許文献１】特開２００２−２９９０７５号公報（第４頁、第１図）
【特許文献２】特開２００１−１５２７４号公報（第３頁、第１図）
【特許文献３】特開平１１−４５６４２号公報（第３頁、第２図）
【発明の開示】
【発明が解決しようとする課題】
【０００７】
特許文献１の照明制御システムは、隣接する照明領域間で各照明領域の人感センサの人感検知情報を互いに伝送する通信手段を備えるので、システム構成が複雑となって高価になるという欠点を有する。
【０００８】
また、特許文献２の照明装置は、器具本体の第２の信号入力部に他の器具本体に対応する人体検出手段から信号を入力する信号線をそれぞれ接続するので、配線が複雑となって高価になるという欠点を有する。
【０００９】
そして、特許文献３の照明システムにおいては、配光が重なり合う部分に、各照明領域に対応する人感センサの子器を設けるので、子器の数量が多くなって設置スペースを要するとともに高価になるという欠点を有する。
【００１０】
本発明は、照明領域の重なり合う部分が所望に照明制御され、かつ省スペース化および低コスト化を図ることのできる照明制御システムを提供することを目的とする。
【課題を解決するための手段】
【００１１】
請求項１に記載の照明制御システムの発明は、複数の照明領域毎に設けられた照明装置と；照明領域毎に設けられ、各照明領域内での人体の存否を検出する人感センサを有する人感センサ親機と；２つの照明領域の重なり合う部分の人体の存否を検出する人感センサを有し、前記重なり合う部分の２つの照明領域に設けられた各人感センサ親機から動作電圧が入力されているとともに、自身の人感センサが人体の存在を検出したときに前記動作電圧を変化させるように構成されている人感センサ子機と；前記動作電圧の変化を検出する電圧検出部を有して各人感センサ親機にそれぞれ設けられ、前記電圧検出部が前記動作電圧の変化を検出したときに、または人感センサ親機の人感センサが人体の存在を検出したときに、各人感センサ親機に対応する照明装置を所定の点灯状態に制御するように構成された照明制御装置と；を具備していることを特徴とする。
【００１２】
本発明および以下の発明において、特に言及しない限り、各構成は以下による。
【００１３】
各照明領域内に存在する人体は、各照明領域に設けられる人感センサ親機および人感センサ子機のそれぞれの人感センサの少なくとも一方により検知される。そして、それぞれの人感センサの検知範囲は重なり合っていてもよい。また、それぞれの人感センサによる全検知範囲は、照明領域を含んでいればよく、一部が照明領域外にあってもよい。
【００１４】
照明領域は、照明装置の照明により形成される。したがって、「２つの照明領域の重なり合う部分」とは、２つの照明領域の照明（配光）が重なり合っている箇所を意味する。ここで、重なり合う部分の大きさ（面積）は、限定されるものではなく、２つの照明領域が接するほどの狭いものであってもよい。また、重なり合う照明光は、それぞれ光束（ルーメン）の大きさが特定されるものではなく、光束は微小であってもよい。そして、２つの照明領域の照明が重なり合っている箇所は、３つ以上の照明領域の照明（配光）が重なり合っている箇所のうちの２つを包含する。
【００１５】
「所定の点灯状態」とは、例えば全光点灯または照明領域が所望の照度（明るさ）で点灯されることである。
【００１６】
本発明によれば、２つの照明領域の重なり合う部分に人が存在すると、人感センサ子機の人感センサにより人体の存在が検出される。人感センサ子機は、例えば動作電圧が入力される入力端間または後段の出力端間のインピーダンスを変化させて動作電圧を変化させる。この動作電圧の変化は、照明制御装置の電圧検出部で検出される。照明制御装置は、当該検出した人感センサ親機に対応する照明装置を所定の点灯状態に制御する。こうして、２つの照明領域の重なり合う部分に人が存在すると、２つの照明領域に設けられている照明装置がそれぞれ所定の点灯状態になって、２つの照明領域の重なり合う部分の照度（明るさ）が不所望に低下することが防止される。
【００１７】
また、２つの照明領域の重なり合う部分に人が存在しなくても、人感センサ親機の人感センサが人体の存在を検出すると、当該人感センサ親機に対応する照明装置が所定の照明状態に制御され、当該人感センサ親機が設けられている照明領域が所定の照度（明るさ）で照明される。
【００１８】
請求項２に記載の照明制御システムの発明は、請求項１記載の照明制御システムにおいて、人感センサ子機は、２つの人感センサ親機から入力されている動作電圧のうちの１つの動作電圧に基づいて動作しているとともに、自身の人感センサが人体の存在を検出したときに２つの人感センサ親機から入力されている動作電圧をそれぞれ変化させるように構成されていることを特徴とする。
【００１９】
本発明によれば、人感センサ子機は、２つの人感センサ親機から入力される動作電圧のうちの一方に基づいて動作するので、正常に動作し、自身の人感センサにより人体を正常に検出することができる。
【発明の効果】
【００２０】
請求項１の発明によれば、少なくとも照明領域の重なり合う部分に人が存在すると、その照明領域の各照明装置が所定の点灯状態になり、照明領域の重なり合う部分の照度（明るさ）が所望に照明制御されるので、人に違和感や不快感を与えることを防止することができる。
【００２１】
そして、人感センサ子機は、２つの照明領域に対して共用で設けられていることになるので、２つの照明領域に対応して個別に設ける場合に比べて設置する数量が少なくて済む。この結果、人感センサ子機を設置する省スペース化および照明制御システムの低コスト化を図ることができる。
【００２２】
請求項２の発明によれば、人感センサ子機は、２つの人感センサ親機から入力される動作電圧のうちの一方に基づいて動作するので、２つの照明領域の重なり合う部分での人体の検出を自身の人感センサにより正常に行うことができる。
【発明を実施するための最良の形態】
【００２３】
以下、本発明の一実施の形態について、図面を参照して説明する。
【００２４】
図１ないし図８は、本発明の一実施の形態を示し、図１は照明制御システムの構成図、図２は人感センサ親機および人感センサ子機の配置図、図３は人感センサ親機および人感センサ子機の接続図、図４は人感センサ親機を示し、（ａ）は側面図、（ｂ）は正面図、図５は人感センサ子機を示し、（ａ）は側面図、（ｂ）は正面図、図６は人感センサ子機の回路図、図７は照明制御装置のブロック図、図８は別の人感センサ子機の回路図である。
【００２５】
図１において、照明制御システム１は、照明装置２、人感センサ親機３、人感センサ子機４および照明制御装置５（図示しない。）を有して構成されている。照明制御装置５は、人感センサ親機３に一体化されている。そして、照明装置２、人感センサ親機３および人感センサ子機４は、天井面（図示しない。）に配設されている。また、照明装置２、人感センサ親機３および人感センサ子機４は、複数の照明領域毎に設けられている。図中、２つの照明領域Ａおよび照明領域Ｂのみを示している。
【００２６】
照明装置２は、図示しない照明器具、蛍光ランプおよび点灯装置を有して構成されている。照明器具は、例えば天井面に埋設された埋込形照明器具であり、調光可能な蛍光ランプを配設しているとともに、内部に蛍光ランプを調光点灯させる点灯装置を配設している。そして、通常、複数の照明器具が天井面に配設されており、複数の照明器具による照明により照明領域Ａ，Ｂが形成されている。また、点灯装置は、例えば高周波点灯装置であり、照明制御装置５から伝送される調光制御信号例えばＰＷＭ調光信号に応じて蛍光ランプを調光点灯させる。すなわち、蛍光ランプは、照明制御装置５により光出力が制御される。この光出力に応じて照明領域Ａ，Ｂの照度（明るさ）は変化する。
【００２７】
そして、照明領域Ａ，Ｂには、それぞれ１個の人感センサ親機３および複数個の人感センサ子機４が設けられている。この１個の人感センサ親機３および複数個の人感センサ子機４により、照明領域Ａ，Ｂでの人体の存否の検出が行われる。また、２つの照明領域Ａ，Ｂは、図２に示すように、互いに重なり合う部分（箇所）６を有していて、この重なり合う部分６に共用の人感センサ子機４Ａ，４Ａが設けられている。
【００２８】
人感センサ親機３および人感センサ子機４は、図３に示すように、それぞれ外部に端子群７，８が設けられている。そして、照明領域Ａの人感センサ親機３の端子群７の端子Ｔ５，Ｔ６は、伝送線９，９により、中間の人感センサ子機４の端子群８の端子Ｓ５，Ｓ６に接続されている。人感センサ子機４の端子群８の端子Ｓ１と端子Ｓ５、端子Ｓ２とＳ６は、人感センサ子機４の内部（回路）で共通にされている。
【００２９】
そして、中間の人感センサ子機４の端子群８の端子Ｓ１，Ｓ２は、伝送線９，９により、２つの照明領域Ａ，Ｂの重なり合う部分６に設けられている共用の一方の人感センサ子機４Ａの端子群８の端子Ｓ５，Ｓ６に接続されている。一方の人感センサ子機４Ａの端子群８の端子Ｓ５，Ｓ６は、伝送線９，９により、共用の他方の人感センサ子機４Ａの端子群８の端子Ｓ５，Ｓ６に接続されている。
【００３０】
同様に、照明領域Ｂの人感センサ親機３の端子群７の端子Ｔ５，Ｔ６は、伝送線９，９により、中間の人感センサ子機４の端子群８の端子Ｓ５，Ｓ６に接続されている。そして、中間の人感センサ子機４の端子群８の端子Ｓ１，Ｓ２は、共用の一方の人感センサ子機４Ａの端子群８の端子Ｓ３，Ｓ４に接続され、この端子Ｓ３，Ｓ４は、共用の他方の人感センサ子機４Ａの端子群８の端子Ｓ３，Ｓ４に接続されている。
【００３１】
こうして、各人感センサ子機４が検出した人体の存否の検知信号は、伝送線９，９により、人感センサ親機３に伝送されるようにしている。人感センサ親機３は、照明領域Ａ，Ｂ毎に１個が設けられ、各照明領域Ａ，Ｂ内での人体の存否を検出する。人感センサ子機４は、照明領域Ａ，Ｂ毎に複数個が設けられ、各照明領域Ａ，Ｂ内での人体の存否を検出する。そして、２つの照明領域Ａ，Ｂの重なり合う部分６に存在する人体は、人感センサ子機４のうち、人感センサ子機４Ａ，４Ｂにより検出される。人感センサ親機３および人感センサ子機４により、各照明領域Ａ，Ｂの人体の存在が完全に検出される。
【００３２】
人感センサ親機３は、図４に示すように、センサ親機本体１０、カバー１１および取付ばね１２，１２等を有して形成されている。そして、カバー１１は、外表面１１ａに露出するようにして、照度センサ１３、人感センサ１４、受信素子１５、送信用ＬＥＤ１６および表示用ＬＥＤ１７などを配設している。
【００３３】
照度センサ１３は、照明領域Ａ，Ｂからの主として反射光により照明領域Ａ，Ｂの照度を間接的に検出し、照明制御装置５に送出するように構成されている。人感センサ１４は、照明領域Ａ，Ｂ内の人体を検出して検知信号を照明制御装置５に送出する。受信素子１５は、例えばＣｄＳにより形成され、例えばリモコン装置から送信される各種制御信号などを受信して照明制御装置５に送出するように構成されている。そして、送信用ＬＥＤ１６は、照明制御装置５から送出された返信信号などをリモコン装置に向けて送信するものである。表示用ＬＥＤ１７は、照明制御装置５や人感センサ１４など、人感センサ親機３が正常に動作しているときに点灯するものである。
【００３４】
また、センサ親機本体１０は、内部に照明制御装置５（図示しない。）を収納し、側面１０ａに電源端子台１８および端子群７を配設している。電源端子台１８の電源端子１８ａ，１８ｂは、商用交流電源ＡＣに接続され、交流電圧を入力する。アース端子１８ｃは、アースＥに接続されている。そして、端子群７は、図３に示すように、人感センサ子機４に接続されている。
【００３５】
人感センサ子機４は、図５に示すように、センサ子機本体１９、カバー２０および取付ばね２１，２１等を有し、外観形状が人感センサ親機３と略同一に形成されている。そして、カバー２０は、外表面２０ａに露出するようにして人感センサ２２などを配設している。人感センサ２２は、照明領域Ａ，Ｂ内の人体を検出して検知信号を伝送線９，９に送出するように形成されている。
【００３６】
また、センサ子機本体１９は、側面１９ａに端子群８を配設している。端子群８は、図３に示すように、人感センサ子機３および人感センサ子機４に接続されている。
【００３７】
人感センサ子機４は、伝送線９，９を介して人感センサ親機３から動作電圧が入力される。すなわち、端子群８の端子Ｓ５，Ｓ６に、照明領域Ａの人感センサ親機３から動作電圧（直流電圧）が供給される。そして、図６に示すように、端子Ｓ５，Ｓ６は、整流器ＤＢ１の入力端に接続されているとともに、端子Ｓ１，Ｓ２に接続されている。端子Ｓ１，Ｓ２においても、人感センサ親機３から動作電圧が入力されている。そして、照明領域Ｂの人感センサ親機３から動作電圧が入力される端子Ｓ３，Ｓ４は、別の整流器ＤＢ２の入力端に接続されている。
【００３８】
整流器ＤＢ１の出力端間には、抵抗Ｒ１、ツェナーダイオードＺＤ１およびＮＰＮ形バイポーラトランジスタＴｒ１の直列回路が接続され、さらに定電圧回路２３を介して人感センサ２２が接続されている。そして、人感センサ２２の出力端子は、抵抗Ｒ２を介してＮＰＮ形バイポーラトランジスタＴｒ１のベースに接続されている。人感センサ２２の出力端子および整流器ＤＢ１の負極側の出力端間には、フォトカプラＰＣ１の発光ダイオード（ＬＥＤ）ＰＤ１が接続されている。人感センサ２２が人体を検出すると、ＮＰＮ形バイポーラトランジスタＴｒ１のベースに抵抗Ｒ２を介して電圧が供給されてＮＰＮ形バイポーラトランジスタＴｒ１がオンし、さらに発光ダイオード（ＬＥＤ）ＰＤ１が発光する。
【００３９】
定電圧回路２３は、整流器ＤＢ１の出力端間の出力電圧が変動しても、人感センサ２２に略一定の動作電圧を供給するものであり、抵抗Ｒ３、抵抗Ｒ４、ＮＰＮ形バイポーラトランジスタＴｒ２、ツェナーダイオードＺＤ２および平滑用コンデンサＣ１を有して図示のように構成されている。
【００４０】
また、別の整流器ＤＢ２の出力端間には、抵抗Ｒ５、ツェナーダイオードＺＤ３およびＮＰＮ形バイポーラトランジスタＴｒ３の直列回路が接続され、さらに整流器ＤＢ２の正極側の出力端およびＮＰＮ形バイポーラトランジスタＴｒ３のベース間に抵抗Ｒ６を介してフォトカプラＰＣ１のフォトトランジスタＰＴｒ１が接続されている。
【００４１】
発光ダイオード（ＬＥＤ）ＰＤ１が発光すると、フォトトランジスタＰＴｒ１がオンしてＮＰＮ形バイポーラトランジスタＴｒ３がオンする。すなわち、人感センサ２２が人体を検出すると、ＮＰＮ形バイポーラトランジスタＴｒ３がオンする。
【００４２】
上述したように、整流器ＤＢ１の入力端間（端子Ｓ５，Ｓ６間）には、照明領域Ａの人感センサ親機３から動作電圧が入力され、整流器ＤＢ２の入力端間（端子Ｓ３，Ｓ４間）には、照明領域Ｂの人感センサ親機３から動作電圧が入力されている。ここで、整流器ＤＢ１および整流器ＤＢ２のそれぞれの出力端は、フォトカプラＰＣ１により絶縁されているので、人感センサ２２は、照明領域Ａの１つの人感センサ親機３から入力される動作電圧に基づいて動作している。
【００４３】
そして、人感センサ２２が人体の存在を検出すると、ＮＰＮ形バイポーラトランジスタＴｒ１がオンして、整流器ＤＢ１の出力端間に接続されている抵抗Ｒ１、ツェナーダイオードＺＤ１およびＮＰＮ形バイポーラトランジスタＴｒ１の直列回路に電流が流れるので、整流器ＤＢ１の入力端（端子Ｓ５，Ｓ６）に流れる電流が変化する。同じく、ＮＰＮ形バイポーラトランジスタＴｒ３がオンして、整流器ＤＢ２の出力端間に接続されている抵抗Ｒ５、ツェナーダイオードＺＤ３およびＮＰＮ形バイポーラトランジスタＴｒ３の直列回路に電流が流れるので、整流器ＤＢ２の入力端（端子Ｓ３，Ｓ４）に流れる電流が変化する。
【００４４】
照明制御装置５は、それぞれの人感センサ親機３内に配設されていて、図７に示すように、照度センサ１３に接続されている照度入力部２４、人感センサ１４に接続されている人体検出部２５、受信素子１５に接続されているワイヤレス受信部２６、送信用ＬＥＤ１６に接続されているワイヤレス送信部２７、表示用ＬＥＤ１７に接続されている表示部２８、商用交流電源ＡＣに接続されている電源部２９、記憶部３０、調光信号出力部３１、外部信号入力部３２、電圧出力部３３、電圧検出部としての出力電圧検出部３４および制御部３５を有して構成されている。
【００４５】
照度入力部２４は、照度センサ１３の出力電圧を入力して制御部３５に送出するように構成されている。照度入力部２４には、照度センサ１３が検出した照明領域Ａ，Ｂの照度が入力される。人体検出部２５は、人感センサ１４が検出した人体の検出信号を制御部３５に送出する。制御部３５は、当該検出信号が入力されると、照明装置２を点灯させる照明制御信号を調光信号出力部３１から調光信号線３６，３６を介して照明装置２に伝送させる。
【００４６】
ワイヤレス受信部２６は、受信素子１５が受信したリモコン装置からのオンオフ制御信号や調光制御信号などの照明制御信号などを制御部３５に送出する。ワイヤレス送信部２７は、制御部３５から送出された返信信号を送信用ＬＥＤ１６からリモコン装置に向かって送信させるように構成されている。
【００４７】
表示部２８は、制御部３５の制御により、人感センサ親機３が正常に動作しているときに表示用ＬＥＤ１７を点灯させる。電源部２９は、商用交流電源ＡＣの交流電圧を直流電圧に変換すると共に、所定の電圧値に調整して、制御部３５やその他の回路部に駆動電源を供給するように構成されている。記憶部３０は、照明領域Ａ，Ｂの目標照度などの諸データが記憶される。
【００４８】
調光信号出力部３１は、調光信号線３６，３６が接続される端子Ｔ１，Ｔ２に接続されている。そして、リモコン装置から送信されワイヤレス受信部２６に入力された照明制御信号などの他、制御部３５により演算生成された調光制御信号を照明装置２に調光信号線３６，３６を介して伝送するように構成されている。
【００４９】
外部信号入力部３２は、入力信号線３７，３７が接続される端子Ｔ３，Ｔ４に接続されている。そして、例えば調光器などからの照明制御信号（外部信号）を制御部３５に送出するように構成されている。
【００５０】
そして、電圧出力部３３は、伝送線９，９が接続される端子Ｔ５，Ｔ６に抵抗Ｒ７を介して接続されている。そして、人感センサ子機４の動作電圧例えばＤＣ１２Ｖを出力する。これにより、各人感センサ子機４は、伝送線９，９を介して人感センサ親機３から動作電圧が入力される。
【００５１】
出力電圧検出部３４は、抵抗Ｒ７の両端間電圧を検出し、その両端間電圧が変化したときに検知信号を制御部３５に送出するように構成されている。図３および図６において説明したように、端子Ｔ５，Ｔ６は、伝送線９，９により人感センサ子機４の端子群８の端子Ｓ５，Ｓ６または端子Ｓ３，Ｓ４に接続されている。そして、人感センサ２２が人体の存在を検出すると、整流器ＤＢ１および整流器ＤＢ２のそれぞれの入力端に流れる電流が変化する。すなわち、伝送線９，９に流れる電流が変化し、人感センサ子機４に入力する動作電圧が変化する。
【００５２】
伝送線９，９に流れる電流が変化すると、抵抗Ｒ７の両端間電圧が変化する。出力電圧検出部３４は、抵抗Ｒ７の両端間電圧の変化を検出する。この検出により、人感センサ子機４により検出された人体の存在が人感センサ親機３において検出される。このように、出力電圧検出部３４は、電圧出力部３３から出力された動作電圧の変化を検出する。
【００５３】
なお、図３および図６において説明したように、人感センサ子機４は、伝送線９，９に並列的に接続されている。伝送線９，９に流れる電流が変化すると、整流器ＤＢ１，ＤＢ２のそれぞれの入力端間に入力する動作電圧も変化し、整流器ＤＢ１，ＤＢ２の出力端間に発生する直流電圧も変化する。しかし、動作電圧の変化および直流電圧の変化は、小さく設定されていて、かつ、定電圧回路２３が人感センサ２２に一定の直流電圧を供給するので、人感センサ２２は正常に動作する。すなわち、複数個の人感センサ子機４のうちの１つの人感センサ子機４の人感センサ２２が人体の存在を検出しても、人感センサ親機３および人感センサ子機４は、全て通常どおり動作する。
【００５４】
制御部３５は、ＣＰＵ（中央処理装置）、プログラムが格納されたＲＯＭ、各種データを記憶しているＲＡＭなどを具備して各種制御を行うように構成されている。
【００５５】
次に、本発明の一実施の形態の作用について説明する。
【００５６】
人感センサ子機４は、人感センサ親機３内の照明制御装置５の電圧出力部３３から出力された動作電圧が供給されて動作する。そして、２つの照明領域Ａ，Ｂの重なり合う部分６に設けられた人感センサ子機４Ａ，４Ａは、図６に示すように、端子Ｓ５，Ｓ６に照明領域Ａの人感センサ親機３側から動作電圧が入力され、端子Ｓ３，Ｓ４に照明領域Ｂの人感センサ親機３側から動作電圧が入力されている。
【００５７】
そして、端子Ｓ５，Ｓ６に接続されている整流器ＤＢ１の出力端と、端子Ｓ３，Ｓ４に接続されている整流器ＤＢ２出力端とは、フォトカプラＰＣ１により絶縁されており、人感センサ２２は、照明領域Ａの人感センサ親機３側から入力された動作電圧により動作する。すなわち、各人感センサ親機３側から出力された動作電圧差および整流器ＤＢ１，ＤＢ２のそれぞれの入力端の電位差による影響が防止されて、整流器ＤＢ１，ＤＢ２のそれぞれの出力端間に所定の直流電圧が発生する。これにより、人感センサ２２は、安定的に動作し、２つの照明領域Ａ，Ｂの重なり合う部分６に存在する人体の検出を正常に行える。
【００５８】
そして、人感センサ２２が人体の存在を検出すると、整流器ＤＢ１の出力端間の抵抗Ｒ１、ツェナーダイオードＺＤ１およびＮＰＮ形バイポーラトランジスタＴｒ１の直列回路に電流が流れるので、整流器ＤＢ１の入力端に流れる電流、すなわち端子Ｓ５，Ｓ６に接続されている伝送線９，９に流れる電流が変化する。同じく、整流器ＤＢ２の出力端間の抵抗Ｒ５、ツェナーダイオードＺＤ３およびＮＰＮ形バイポーラトランジスタＴｒ３の直列回路に電流が流れるので、整流器ＤＢ２の入力端に流れる電流、すなわち端子Ｓ３、Ｓ４に接続されている伝送線９，９に流れる電流が変化する。
【００５９】
端子Ｓ５，Ｓ６に接続されている伝送線９，９に流れる電流の変化は、照明領域Ａに設けられた人感センサ親機３内の照明制御装置５の出力電圧検出部３４により検出される。そして、当該照明制御装置５の制御部３５は、調光信号出力部３１から調光制御信号例えば全光点灯信号を調光信号線３６，３６に伝送させる。これにより、照明領域Ａ内に設けられた照明装置２は、全光点灯（所定の点灯状態）に制御される。
【００６０】
また、端子Ｓ３，Ｓ４に接続されている伝送線９，９に流れる電流の変化は、照明領域Ｂに設けられた人感センサ親機３内の照明制御装置５の出力電圧検出部３４により検出される。そして、当該照明制御装置５の制御部３５は、調光信号出力部３１から調光制御信号例えば全光点灯信号を調光信号線３６，３６に伝送させる。これにより、照明領域Ｂ内に設けられた照明装置２は、全光点灯（所定の点灯状態）に制御される。
【００６１】
そして、各照明制御装置５の制御部３５は、自己を配設している人感センサ親機３の人感センサ１４が各照明領域Ａ，Ｂ内で人体の存在を検出すると、上記同様、各照明領域Ａ，Ｂに設けられている照明装置２を全光点灯（所定の点灯状態）に制御する。
【００６２】
上述したように、２つの照明領域Ａ，Ｂの重なり合う部分６に人体が存在すると、２つの照明領域Ａ，Ｂにそれぞれ設けられている照明装置２が所定の点灯状態（全光点灯）になる。したがって、２つの照明領域Ａ，Ｂの重なり合う部分６の照度（明るさ）が不所望に照明制御されないので、人に違和感や不快感などを与えることが防止される。
【００６３】
また、２つの照明領域Ａ，Ｂの重なり合う部分６に設けられている人感センサ子機４Ａ，４Ａは、２つの照明領域Ａ，Ｂにそれぞれ設けられている照明装置２の点灯状態を制御させるので、２つの照明領域Ａ，Ｂに対応して人感センサ子機４を個別に設ける場合に比べて２つの照明領域Ａ，Ｂに設置する数量を少なくすることができる。この結果、２つの照明領域Ａ，Ｂに人感センサ子機４を設置する省スペース化が図られるとともに、照明制御システム１が低コスト化される。
【００６４】
なお、図６において、整流器ＤＢ１および整流器ＤＢ２のそれぞれの入力端の電位が略同一であり、それぞれの出力端間電圧が略同一であるときは、図８に示すように、整流器ＤＢ１および整流器ＤＢ２のそれぞれの出力端を並列的に接続して、人感センサ子機３８を形成してもよい。
【００６５】
また、２つの照明領域Ａ，Ｂの重なり合う部分６以外に設けられる中間の人感センサ子機４は、図６において、整流器ＤＢ２およびフォトカプラＰＣ１などを備えていなくてもよい。
【図面の簡単な説明】
【００６６】
【図１】本発明の一実施の形態を示す照明制御システムの構成図。
【図２】同じく、人感センサ親機および人感センサ子機の配置図。
【図３】同じく、人感センサ親機および人感センサ子機の接続図。
【図４】同じく、人感センサ親機を示し、（ａ）は側面図、（ｂ）は正面図。
【図５】同じく、人感センサ子機を示し、（ａ）は側面図、（ｂ）は正面図。
【図６】同じく、人感センサ子機の回路図。
【図７】同じく、照明制御装置のブロック図。
【図８】同じく、別の人感センサ子機の回路図。
【符号の説明】
【００６７】
１…照明制御システム
２…照明装置
３…人感センサ親機
４，３８…人感センサ子機
５…照明制御装置
【図１】
2007035293.tif 000003
【図２】
2007035293.tif 000004
【図３】
2007035293.tif 000005
【図４】
2007035293.tif 000006
【図５】
2007035293.tif 000007
【図６】
2007035293.tif 000008
【図７】
2007035293.tif 000009
【図８】
2007035293.tif 000010